【手続補正書】
【提出日】平成18年11月27日(2006.11.27)
【手続補正１】
【補正対象書類名】明細書
【補正対象項目名】特許請求の範囲
【補正方法】変更
【補正の内容】
【特許請求の範囲】
【請求項１】  インクを収容すると共に書き換え可能な不揮発性メモリを備えたカートリッジが装着可能であり、該カートリッジのインクを印刷媒体に移して印刷を行なう印刷装置であって、
電気的に書き換え可能であり、電源オフ時にも記憶内容を保存する不揮発性の本体側メモリと、
前記カートリッジに関する情報を、前記本体側メモリの予め定めた領域に記憶する記憶手段と、
前記カートリッジに関する情報を、シリアルアクセスによって前記カートリッジ側に出力し、前記不揮発性メモリの対応する領域に書き込むメモリ書込手段と、
該書込手段による書き込みのために出力する際、前記アドレス指定の形式を、前記本体側メモリのアドレス指定とは異なる形式に変換するアドレスデコーダと
を備えた印刷装置。
【請求項２】  インクを収容すると共に書き換え可能な不揮発性メモリを備えたカートリッジが装着可能であり、該カートリッジのインクを印刷媒体に移して印刷を行なう印刷装置であって、
前記カートリッジに収容されたインクを前記印刷媒体に吐出する印刷ヘッドと、
前記カートリッジに関する情報を、予め定めた領域に記憶する本体側メモリと、
前記カートリッジに関する情報を、前記カートリッジ側に出力し、前記不揮発性メモリの対応する領域に書き込むメモリ書込手段と、
該書込手段による書き込みのために出力する際、アドレス指定の形式を前記不揮発性メモリにアクセス可能な形式に変換するアドレスデコーダと、
を備え、
前記カートリッジは、前記印字ヘッドが設けられ前記印刷媒体に対して往復動されるキャリッジ上に装着可能であり、
前記アドレスデコーダは、該キャリッジ上に設けられた
印刷装置。
【請求項３】  請求項１記載の印刷装置であって、
前記不揮発性メモリは、シリアルアクセスタイプのものであり、データの授受を、クロックパルスに同期したデータの転送により行なうメモリであり、
前記アドレスデコーダは、前記アドレス指定を、クロックパルスの数に変換する手段である
印刷装置。
【請求項４】  請求項１記載の印刷装置であって、
前記カートリッジに関する情報には、前記カートリッジにおけるインク量に関する情報が含まれる印刷装置。
【請求項５】  請求項４記載の印刷装置であって、
前記インク量に関する情報は、前記カートリッジにおけるインク残量もしくはインク消費量である印刷装置。
【請求項６】  請求項１記載の印刷装置であって、
前記カートリッジに収容されたインクが複数種類のインクであるとき、前記アドレスデコーダは、各インク毎に前記不揮発性メモリに用意された領域に対応して、前記アドレス指定の変換を行なう
印刷装置。
【請求項７】  請求項１記載の印刷装置であって、
前記アドレスデコーダは、前記本体側メモリの一の領域に記憶された前記情報について、前記不揮発性メモリへの書き込み要求が発生するたびに、二つの異なるアドレス指定を交互に行なう印刷装置。
【請求項８】  請求項１記載の印刷装置であって、
前記アドレスデコーダは、前記印刷装置の電源オフが指示されたとき、該印刷装置の電源が遮断されたとき、カートリッジの交換が指示されたとき、の少なくとも一つのタイミングの後に、前記アドレス指定の形式の変換を行なって、前記情報を前記不揮発性メモリに書き込む手段である
印刷装置。
【請求項９】  前記不揮発性メモリは、電気的に消去可能なプログラマブルＲＯＭである請求項１記載の印刷装置。
【請求項１０】  インクを収容すると共に書き換え可能な不揮発性メモリを備えたカートリッジが装着可能であり、該カートリッジのインクを印字ヘッドに設けられた複数のドット形成要素により、ドット単位で印刷媒体に移して印刷を行なう印刷装置であって、
前記カートリッジに関する情報を、予め定めた領域に記憶する本体側メモリと、
前記印字ヘッドおよび前記カートリッジを搭載して前記印刷媒体に対して往復動されるキャリッジ上に設けられ、前記カートリッジに関する情報を、一時的に記憶するデータ保持手段と、
前記データ保持手段に保持された前記カートリッジに関する情報を、シリアルアクセスにより前記カートリッジ側に出力し、前記不揮発性メモリの対応する領域に書き込むメモリ書込手段と、
該書込手段による書き込みのために出力する際、前記アドレス指定の形式を、前記シリアルアクセスの形式に変換するアドレスデコーダと
を備えた印刷装置。
【請求項１１】  請求項１０記載の印刷装置であって、
前記データ保持手段は、前記ドット形成要素への駆動信号に対応したデータを、一時的に保管するメモリを備え、該メモリの少なくとも一部の領域を利用して、前記不揮発性メモリに書き込む情報の少なくとも一部を記憶する手段である
印刷装置。
【請求項１２】  請求項１０記載の印刷装置であって、
前記データ保持手段は、前記ドット形成要素への駆動信号に対応したデータを前記ドット形成要素に出力する信号線を利用して、前記本体側メモリから前記情報を受け取る印刷装置。
【請求項１３】  請求項１１記載の印刷装置であって、
前記データ保持手段は、前記ドット形成要素へのデータの出力と、前記不揮発性メモリへの情報の出力とを切り換える切換手段を備える印刷装置。
【請求項１４】  請求項１３記載の印刷装置であって、
前記切換手段は、前記データを前記ドット形成要素へ出力する際には、前記不揮発性メモリへの電源供給を遮断する手段を有する印刷装置。
【請求項１５】  請求項１０記載の印刷装置であって、
前記カートリッジに関する情報には、前記カートリッジにおけるインク量に関する情報が含まれる印刷装置。
【請求項１６】  請求項１５記載の印刷装置であって、
前記インク量に関する情報には、前記カートリッジにおけるインク残量もしくはインク消費量が含まれる印刷装置。
【請求項１７】  請求項１０記載の印刷装置であって、
前記不揮発性メモリは、シリアルアクセスによりデータの授受を行なうタイプのメモリであり、
前記メモリ書込手段は、前記情報を、アドレス指定用のクロックに同期して前記不揮発性メモリに書き込む手段である
印刷装置。
【請求項１８】  前記不揮発性メモリは、電気的に消去可能なプログラマブルＲＯＭである請求項１０記載の印刷装置。
【請求項１９】  前記書込手段は、印刷装置の電源オフ時および／または前記カートリッジの交換時に、前記情報の書込を行なう手段である請求項１または請求項１０記載の印刷装置。
【請求項２０】  請求項２または請求項１０記載の印刷装置であって、
所定の操作を受けて、前記印字ヘッドから所定の量のインクを吐出させるヘッドクリーニングを行なうクリーニング手段を備えると共に、
前記メモリ書込手段は、該クリーニング手段が動作した時にも前記情報の書き込みを行なう手段である印刷装置。
【請求項２１】  請求項１または請求項１０記載の印刷装置であって、
前記カートリッジとして、黒色インクを収納した黒色インクカートリッジと、複数のカラーインクを収納したカラーインクカートリッジとを、装着可能であり、
前記メモリ書込手段は、該黒色インクカートリッジとカラーインクカートリッジの各々に備えられた前記不揮発メモリに、それぞれ前記情報を書き込む手段を備えた
印刷装置。
【請求項２２】  インクを収容すると共に書き換え可能な不揮発性メモリを備えたカートリッジのインクを印刷媒体に移して印刷を行なう印刷装置において、当該カートリッジに関する情報を前記不揮発性メモリに書き込む方法であって、
前記カートリッジに収容されたカートリッジに関する情報を、電気的に書き換え可能であり、電源オフ時にも記憶内容を保存する不揮発性の本体側メモリの予め定めた領域に、所定のアドレス指定により記憶し、
前記不揮発性メモリに対するアドレス指定の形式を、前記本体側メモリのアドレス指定とは異なるシリアルアクセスの形式に変換し、
前記カートリッジに関する情報を、該変換されたアドレス指定の形式で、シリアルアクセスにより前記カートリッジ側に出力することで、前記不揮発性メモリの対応する領域に書き込む
書込方法。
【請求項２３】  インクを収容すると共に書き換え可能な不揮発性メモリを備えたカートリッジのインクを印字ヘッドに設けられた複数のドット形成要素により、ドット単位で印刷媒体に移して印刷を行なう印刷装置において、カートリッジに関する情報を、前記不揮発性メモリに書き込む方法であって、
前記カートリッジに関する情報を、本体側メモリの予め定めた領域に記憶し、
前記印字ヘッドおよび前記カートリッジを搭載して前記印刷媒体に対して往復動されるキャリッジ上に設けられた一時メモリに、前記カートリッジに関する情報を、一時的に記憶し、
該記憶した情報のアドレス指定の形式を、シリアルアクセスの形式に変換し、
前記一時的に記憶された前記カートリッジに関する情報を、該変換されたシリアルアクセスのためのアドレス指定の形式により前記カートリッジ側に出力することにより、前記不揮発性メモリの対応する領域に書き込む
書込方法。
【請求項２４】  印刷媒体にドット単位でインクを移して印刷を行なう印字ヘッドを有する印刷装置に装着して用いられ、内部にインクを収容するカートリッジであって、
書き換え可能な不揮発性メモリと、
前記印刷装置に設けられ、電気的に書き換え可能であり、電源オフ時にも記憶内容を保存する不揮発性の本体側メモリの所定の領域に記憶される前記カートリッジに関する情報を、該本体側メモリのアドレスの指定とは異なるシリアルアクセス用の形式で受け取る入力部と、
前記不揮発性メモリの前記入力部が受け取ったアドレスに、前記情報を書き込む書込制御部と
を備えたカートリッジ。
【請求項２５】  請求項２４記載のカートリッジであって、
前記印刷装置とのデータの授受がシリアルアクセスであり、該データの転送は、クロックに同期して行なわれるカートリッジ。
【請求項２６】  請求項２４記載のカートリッジであって、
前記情報には、前記カートリッジにおけるインク残量もしくはインク消費量が含まれるカートリッジ。
【請求項２７】  請求項２４記載のカートリッジであって、
前記カートリッジに収容されたインクが複数種類のインクであるとき、前記不揮発性メモリは、各インク毎に前記情報を記憶する領域を備えたカートリッジ。
【請求項２８】  請求項２７記載のカートリッジであって、
少なくとも異なる３種類のインクを収容する３つ以上のインク収容室を備え、
前記不揮発性メモリは、前記各インクの量に関連する情報をそれぞれ独立して格納する複数の情報記憶領域を有し、
その複数の情報記憶領域にはそれぞれ２バイト以下の容量が割り当てられている
カートリッジ。
【請求項２９】  請求項２７記載のカートリッジであって、
少なくとも異なる５種類のインクを収容する５つ以上のインク収容室を備え、
前記不揮発性メモリは、前記各インクの量に関連する情報をそれぞれ独立して格納する複数の情報記憶領域を有し、
その複数の情報記憶領域にはそれぞれ２バイト以下の容量が割り当てられている
カートリッジ。
【請求項３０】  前記不揮発性メモリはＥＥＰＲＯＭである請求項２４記載のカートリッジ。
【請求項３１】  請求項２４記載のカートリッジであって、
前記不揮発性メモリは、前記印刷装置の電源オフが指示されたとき、該印刷装置の電源が遮断されたとき、カートリッジの交換が指示されたとき、の少なくとも一つのタイミングの後に、前記情報が書き込まれるカートリッジ。
【請求項３２】  印刷媒体にドット単位でインクを移して印刷を行なう複数のドット形成要素を有する印字ヘッドを該印刷媒体に対して往復動するキャリッジに装着して用いられ、内部にインクを収容したカートリッジであって、
記憶内容を書き換え可能な不揮発性メモリと、
当該カートリッジが搭載される前記キャリッジ上に設けられ、情報を一時的に記憶する一時メモリに記憶された前記カートリッジに関する情報を、電気的な接続部を介してシリアルアクセスにより受け取る入力部と、
該入力部が受け取った情報を、前記不揮発性メモリに書き込む書込制御部と
を備えたカートリッジ。
【請求項３３】  請求項３２記載のカートリッジであって、
前記入力部は、前記ドット形成要素への駆動信号に対応したデータを前記印字ヘッドに出力する信号線を利用して、前記情報を受け取るカートリッジ。
【請求項３４】  請求項３３記載のカートリッジであって、
前記入力部は、前記情報を受け取る際のみ、電源供給を受けるカートリッジ。
【請求項３５】  請求項３２記載のカートリッジであって、
前記カートリッジに関する情報には、前記カートリッジにおけるインク残量もしくはインク消費量が含まれるカートリッジ。
【請求項３６】  請求項３２記載のカートリッジであって、
前記不揮発性メモリは、シリアルアクセスによりデータの授受を行なうタイプのメモリであるカートリッジ。
【請求項３７】  前記不揮発性メモリは、電気的に消去可能なプログラマブルＲＯＭである請求項３２記載のカートリッジ。
【手続補正２】
【補正対象書類名】明細書
【補正対象項目名】００１０
【補正方法】変更
【補正の内容】
【００１０】
【課題を解決するための手段およびその作用・効果】
かかる目的の少なくとも一部を達成するために印刷装置およびカートリッジの発明がなされた。本発明の第１の印刷装置は、
インクを収容すると共に書き換え可能な不揮発性メモリを備えたカートリッジが装着可能であり、該カートリッジのインクを印刷媒体に移して印刷を行なう印刷装置であって、
電気的に書き換え可能であり、電源オフ時にも記憶内容を保存する不揮発性の本体側メモリと、
前記カートリッジに関する情報を、前記本体側メモリの予め定めた領域に記憶する記憶手段と、
前記カートリッジに関する情報を、シリアルアクセスによって前記カートリッジ側に出力し、前記不揮発性メモリの対応する領域に書き込むメモリ書込手段と、
該書込手段による書き込みのために出力する際、前記アドレス指定の形式を、前記本体側メモリのアドレス指定とは異なる形式に変換するアドレスデコーダと
を備えたことを要旨とする。
【手続補正３】
【補正対象書類名】明細書
【補正対象項目名】００１１
【補正方法】変更
【補正の内容】
【００１１】
また、上記印刷装置に対応する方法の発明は、
インクを収容すると共に書き換え可能な不揮発性メモリを備えたカートリッジのインクを印刷媒体に移して印刷を行なう印刷装置において、当該カートリッジに関する情報を前記不揮発性メモリに書き込む方法であって、
前記カートリッジに収容されたカートリッジに関する情報を、電気的に書き換え可能であり、電源オフ時にも記憶内容を保存する不揮発性の本体側メモリの予め定めた領域に、所定のアドレス指定により記憶し、
前記不揮発性メモリに対するアドレス指定の形式を、前記本体側メモリのアドレス指定とは異なるシリアルアクセスの形式に変換し、
前記カートリッジに関する情報を、該変換されたアドレス指定の形式で、シリアルアクセスにより前記カートリッジ側に出力することで、前記不揮発性メモリの対応する領域に書き込む
ことを要旨としている。
【手続補正４】
【補正対象書類名】明細書
【補正対象項目名】００１２
【補正方法】変更
【補正の内容】
【００１２】
かかる印刷装置および書込方法では、カートリッジに関する情報を印刷装置本体側メモリに、カートリッジの不揮発性メモリとは、異なる形式のアドレス指定により記憶している。この情報を、カートリッジ側の不揮発性メモリに書き込む際には、アドレスデコーダにより、アドレス指定の形式を変換する。従って、カートリッジ側の不揮発性メモリに、本体側メモリとは異なるアドレス指定のものを用いても、印刷装置側からは、容易に、カートリッジに関する情報を書き込むことができるという効果を奏する。
【手続補正５】
【補正対象書類名】明細書
【補正対象項目名】００１４
【補正方法】変更
【補正の内容】
【００１４】
上記第１の印刷装置に対応するカートリッジの発明を、併せて説明する。即ち、本発明の第１のカートリッジは、
印刷媒体にドット単位でインク移して印刷を行なう印字ヘッドを有する印刷装置に装着して用いられ、内部にインクを収容するカートリッジであって、
書き換え可能な不揮発性メモリと、
前記印刷装置に設けられ、電気的に書き換え可能であり、電源オフ時にも記憶内容を保存する不揮発性の本体側メモリの所定の領域に記憶される前記カートリッジに関する情報を、該本体側メモリのアドレスの指定とは異なるシリアルアクセス用の形式で受け取る入力部と、
前記不揮発性メモリの前記入力部が受け取ったアドレスに、前記情報を書き込む書込制御部と
を備えたことを要旨としている。
【手続補正６】
【補正対象書類名】明細書
【補正対象項目名】００１７
【補正方法】変更
【補正の内容】
【００１７】
不揮発性メモリに記憶されるカートリッジに関する情報としては、前記インクカートリッジにおけるインク量に関する情報を考えられることができる。インク量に関する情報としては、インクカートリッジにおけるインク残量もしくはインク消費量とすることもできる。
【手続補正７】
【補正対象書類名】明細書
【補正対象項目名】００２２
【補正方法】変更
【補正の内容】
【００２２】
本発明の第２の印刷装置は、
インクを収容すると共に書き換え可能な不揮発性メモリを備えたカートリッジが装着可能であり、該カートリッジのインクを印字ヘッドに設けられた複数のドット形成要素により、ドット単位で印刷媒体に移して印刷を行なう印刷装置であって、
前記カートリッジに関する情報を、予め定めた領域に記憶する本体側メモリと、
前記印字ヘッドおよび前記カートリッジを搭載して前記印刷媒体に対して往復動されるキャリッジ上に設けられ、前記カートリッジに関する情報を、一時的に記憶するデータ保持手段と、
前記データ保持手段に保持された前記カートリッジに関する情報を、シリアルアクセスにより前記カートリッジ側に出力し、前記不揮発性メモリの対応する領域に書き込むメモリ書込手段と、
該書込手段による書き込みのために出力する際、前記アドレス指定の形式を、前記シリアルアクセスの形式に変換するアドレスデコーダと
を備えたことを要旨とする。
【手続補正８】
【補正対象書類名】明細書
【補正対象項目名】００２３
【補正方法】変更
【補正の内容】
【００２３】
この印刷装置に対応する書込方法の発明は、
インクを収容すると共に書き換え可能な不揮発性メモリを備えたカートリッジのインクを印字ヘッドに設けられた複数のドット形成要素により、ドット単位で印刷媒体に移して印刷を行なう印刷装置において、カートリッジに関する情報を、前記不揮発性メモリに書き込む方法であって、
前記カートリッジに関する情報を、本体側メモリの予め定めた領域に記憶し、
前記印字ヘッドおよび前記カートリッジを搭載して前記印刷媒体に対して往復動されるキャリッジ上に設けられた一時メモリに、前記カートリッジに関する情報を、一時的に記憶し、
該記憶した情報のアドレス指定の形式を、シリアルアクセスの形式に変換し、
前記一時的に記憶された前記カートリッジに関する情報を、該変換されたシリアルアクセスのためのアドレス指定の形式により前記カートリッジ側に出力することにより、前記不揮発性メモリの対応する領域に書き込む
ことを要旨とする。
【手続補正９】
【補正対象書類名】明細書
【補正対象項目名】００２４
【補正方法】変更
【補正の内容】
【００２４】
上記の第２の印刷装置および書込方法に対応したカートリッジの発明についても併せて説明する。即ち、本発明の第２のカートリッジは、
印刷媒体にドット単位でインク移して印刷を行なう印字ヘッドを該印刷媒体に対して往復動するキャリッジに装着して用いられ、内部にインクを収容したカートリッジであって、
記憶内容を書き換え可能な不揮発性メモリと、
当該カートリッジが搭載される前記キャリッジ上に設けられ、情報を一時的に記憶する一時メモリに記憶された前記カートリッジに関する情報を、電気的な接続部を介してシリアルアクセスにより受け取る入力部と、
該入力部が受け取った情報を、前記不揮発性メモリに書き込む書込制御部と
を備えたことを要旨とする。
【手続補正１０】
【補正対象書類名】明細書
【補正対象項目名】００２５
【補正方法】変更
【補正の内容】
【００２５】
かかる印刷装置，書込方法およびカートリッジによれば、カートリッジに関する情報は、本体側メモリの予め定めた領域に記憶されており、キャリッジ上の一時メモリに一時的に記憶され、その後、カートリッジの不揮発性メモリに書き込まれる。このため、必要な情報をいちいち本体側メモリから読み出す必要がなく、カートリッジの不揮発性メモリへのデータの書き込みを容易に行なうことができる。